Podtech/llm-jp-corpus-v4-ja_patent huggingface dataset:
(57)【要約】【課題】薬剤入りチューブを使用する時、混入空気や残留薬剤を抽出するのは困難です。本発明は補助バンドを取り付けることでこれを殆どなくした。【解決手段】チューブ底辺のカシメ部分に補助バンドを接着することを特徴とし、使用するに従ってチューブを絞りバンドを巻いて固定する。【選択図】図４
2018020838.tif 000002
【特許請求の範囲】
【請求項１】
薬剤入りチューブに於いて、混入空気或いは残留内容物を速やかに排出する為の、補助バンドの使用である。
【発明の詳細な説明】
【技術分野】
【０００１】この発明は、元来チューブに入った薬品・歯磨き粉等は使用途中から空気が混入し、定量押出し量が不安定になります。本件はこれを解決したものです。
【背景技術】
【０００２】現在、チューブの絞り出しは内容量が少なくなるにつれて困難になるのを解決する。
【先行技術文献】
【特許文献】
【０００３】
【特許文献１】
【発明の概要】
【発明が解決しようとする課題】
【０００４】現在の製品には次のような欠点があります。
（イ）特に樹脂製のチューブでは使用するに従って空気が混入し、次に使用する時には混      入した空気を排気して後、薬剤を絞り出さねばなりません。
（ロ）その為に定量の薬剤を取出すのは困難です。
本発明は、以上の様な欠点を無くする為になされたものである。
【課題を解決する為の手段】
【０００５】チューブの底の部分は圧力カシメされているものが殆どですが、当発明ではこの部分に不錆性金属テープ、或いは片面粘着テープの一端を接着し底辺の３〜４倍巻きつけます。
チューブの内容物を使用するに従って空気が混入しますが、例えば使用減少量に応テープを巻き戻し、底辺の空気を押出しながら使用して減少した所を底面のカシメ部で巻き取り、ここをテープでの固定を減少量に応じ繰り返せば、気持ち良く殆ど使い切ることが出来ます。
本発明は、以上の構成よりなる押出しチューブの使切り補助テープである。
【発明の効果】
【０００６】１本のチューブを使い切るのに、簡単に混入した空気を押出して使用出来るので、従来に比べて快適で、最後まで効果的に使い切ることが出来る。
【図面の簡単な説明】
【０００７】
【図１】本発明の俯瞰図である。
【図２】本発明の展開図（三角法）で、措置前と措置後である。
【図３】本発明の補助バンドの接着とセットの状態である。
【図４】本発明の使用状況である。
【図面を実施する為の形態】
【０００８】以下、本発明を実施する為の形態について説明する。
［図３］に示したように、現在市販されている製品の底面に補助バンドを接着し、バンドをこの部分に数回巻き付けたものである。
本発明は、以上の様な構造である。
これを使用する時は、チューブの内容物を使用して減少するに従って［図４］の▲１▼、▲２▼、▲３▼、▲４▼の順で空気の混入を防ぎ、最後まで内容物を最後まで使い切ることが出来ます。
【図面の簡単な説明】
【０００９】
【図３】の補助バンドは、幅５〜１０ｍｍ程度の片面接着テープ或いは金属テープやワイヤーで、チューブ底面に接着、溶着したものである。
【図１】
2018020838.tif 000003
【図２】
2018020838.tif 000004
【図３】
2018020838.tif 000005
【図４】
2018020838.tif 000006
【手続補正書】
【提出日】平成28年11月11日(2016.11.11)
【手続補正１】
【補正対象書類名】明細書
【補正対象項目名】全文
【補正方法】変更
【補正の内容】
【発明の詳細な説明】
【技術分野】
【０００１】この発明は、元来チューブに入った薬品・歯磨き粉等は使用途中から空気が混入し、定量押出し量が不安定になります。本件はこれを解決したものです。
【背景技術】
【０００２】現在、チューブの絞り出しは内容量が少なくなるにつれて困難になるのを解決する。
【先行技術文献】
【特許文献】
【０００３】
【特許文献１】
【発明の概要】
【発明が解決しようとする課題】
【０００４】現在の製品には次のような欠点があります。（イ）特に樹脂製のチューブでは使用するに従って空気が混入し、次に使用する時には混入した空気を排気して後、薬剤を絞り出さねばなりません。（ロ）その為に定量の薬剤を取出すのは困難です。本発明は、以上の様な欠点を無くする為になされたものである。
【課題を解決する為の手段】
【０００５】チューブの底の部分は圧力カシメされているものが殆どですが、当発明ではこの部分に不錆性金属テープ、或いは片面粘着テープの一端を接着し底辺の３〜４倍巻きつけます。チューブの内容物を使用するに従って空気が混入しますが、例えば使用減少量に応テープを巻き戻し、底辺の空気を押出しながら使用して減少した所を底面のカシメ部で巻き取り、ここをテープでの固定を減少量に応じ繰り返せば、気持ち良く殆ど使い切ることが出来ます。本発明は、以上の構成よりなる押出しチューブの使切り補助テープである。
【発明の効果】
【０００６】１本のチューブを使い切るのに、簡単に混入した空気を押出して使用出来るので、従来に比べて快適で、最後まで効果的に使い切ることが出来る。
【図面の簡単な説明】
【０００７】
【図１】本発明の俯瞰図である。
【図２】本発明の展開図（三角法）で、措置前と措置後である。
【図３】本発明の補助バンドの接着とセットの状態である。
【図４】本発明の使用状況である。薬剤入りチューブに於いて、混入空気或いは残留内容物を速やかに排出する為の、補助バンドの使用である。
【図面を実施する為の形態】
【０００８】以下、本発明を実施する為の形態について説明する。［図３］に示したように、現在市販されている製品の底面に補助バンドを接着し、バンドをこの部分に数回巻き付けたものである。本発明は、以上の様な構造である。
【０００９】これを使用する時は、チューブの内容物を使用して減少するに従って［図４］の▲１▼、▲２▼、▲３▼、▲４▼の順で空気の混入を防ぎ、内容物を最後まで使い切ることが出来ます。
(57)【要約】      （修正有）【課題】非常用の水備蓄タンクに水を保管する際、非常用備蓄タンクの水を入れ替えなくても済む様にする非常用備蓄タンクの提供。【解決手段】水道管１を非常用の備蓄タンクＡの左側の３ネジ式キヤップの所のネジ式管１１にネジ式ジョイント１２を使って接続する、接続する部分は水道管１３のネジの溝とネジ式管１５のネジの溝にネジ式ジョイント１２を使って接続する。非常用水４の備蓄タンクＡの右側の３ネジ式キャップの所に有るネジ式管１１の所より非常用の水備蓄タンクＢにネジ式ジョイント１２と接続管１４を使って接続する。非常用の水備蓄タンクＢの右側のネジ式キヤップ３の所に有るネジ式管１１の所より非常用の水備蓄タンクＣにネジ式ジョイント１２と接続管１４を使って接続する。水道管１と非常用水の備蓄タンクＡ、Ｂ、Ｃ、と水道の蛇口７を接続する。【選択図】図Ｉ
2018020836.tif 000002
【特許請求の範囲】
【請求項１】
今、現在の非常用の備蓄タンクは水道水を備蓄する際、水道水が飲み水として使用できるのが、３日位なので、３日おきに重たい２０ｌ位（２０ｋｇ）の備蓄タンクの水を交換しなければならない、本発明は１水道管と４非常用水の備蓄タンクＡと９非常用の水備蓄タンクＢと１０非常用の水備蓄タンクＣ、と１０非常用の水備蓄タンクＣを７水道の蛇口に接続する事によって、重い非常用防水タンクの水を交換する手間を無くすのを特徴とする。水道水連結非常用水備蓄タンク。
【請求項２】
図１の様に、１水道管４非常用水の備蓄タンクＡ９非常用水の備蓄タンク
Ｂ１０非常用水の備蓄タンクＣ７水道の蛇口の接続方法を１２ネジ式ジョイントと１４接続管によって接続した水道水連結非常用水備蓄タンク
【請求項３】
図２の様に、１水道管４非常用水の備蓄タンクＡ９非常用水の備蓄タンクＢ１０非常用水の備蓄タンクＣ７水道の蛇口の接続方法を２留め具と水道の水圧に耐える強度のある５ホースによって接続した水道水連結非常用水備蓄タンク
【請求項４】
４、９、１０、非常用の水備蓄タンクに、左側の給水用の３ネジ式キャップに１５回転翌の軸と１６水循環用の回転翌を設けた事を特徴とする、水道連結非常用水備蓄タンク
【発明の詳細な説明】
【発明の詳細な説明】
【技術分野】
【０００Ｉ】
この発明は地震等の時使用する非常用備蓄の飲み水のタンクの、水道水
使用期限が３日の為、３日おきに重たい非常用備蓄タンクの水を入れ替えなくてはならないが、非常用備蓄タンクの水を入れ替えなくてもすむ為の方法に関するものである。
【背景技術】
【０００２】従来の非常用備蓄タンクは、独立して出来ているので、水道水の使用期限が、３日の為重たい思いをして、３日おきに非常用タンクの水を取り替えなくてはならなかった。
【発明が解決しようとする課題】
【０００３】本発明は、水道管に非常用備蓄タンクと水道の蛇口を直接つなぐ事によって、自動的に水を浄化出来るので、重たい思いをして、非常用備蓄タンクを取り替えなくてもよい様にする非常用水備蓄タンク。
【課題を解決する為の手段】
【０００４】従来独立していた、非常用備蓄タンクをＩ水道管に４、９、１０、非常用の水備蓄タンクＡ、Ｂ、Ｃ、を７水道の蛇口につなぐようにした非常用水備蓄タンクである。
【発明を実施するための形態】
【０００５】  以下、本発明の実施の形態について説明する。
（ア）第１図の様に１水道管を４非常用水の備蓄タンクＡの左側の３ネジ式キャップの所の１１ネジ式管に１２ネジ式ジョイントを使って接続する、接続する部分は１３水道管のネジの溝と１５ネジ式管のネジの溝に１２ネジ式ジョイントを使って接続する。
（イ）４非常用水の備蓄タンクＡの右側の３ネジ式キヤップの所に有る１１ネジ式管の所より９非常用の水備蓄タンクＢに１２ネジ式ジョイントと１４接続管を使って接続する。
（ウ）９非常用の水備蓄タンクＢの右側の３ネジ式キヤップの所に有る１１ネジ式管の所より１０非常用の水備蓄タンクＣに１２ネジ式ジョイントと１４接続管を使って接続する。
（エ）１０非常用の水備蓄タンクＣの右側に付いている３ネジ式キヤップの所に有る１１ネジ式管の所より７水道の蛇口に１２ネジ式ジョイントを使って接続する。
（オ）４、９、１０、非常用水の備蓄タンクに左側の給水用の３ネジ式キヤップに、１５回転翌の軸と１６水循環用の回転翼を設けた事を特徴とする、水道水連結非常用水備蓄タンク。
（カ）１水道管に５ホースを２ネジ式留め具を使って、４非常用の水備蓄タンクＡを接続する。
（キ）４非常用の水備蓄タンクＡの右側に付いている８ネジ式キャップの所の６接続用管より５ホースを使って９非常用の水備蓄タンクＢの３ネジ式キヤップに有る６接続用管に２ネジ式留め具を使って５ホースを接続する。
（ク）９非常用の水備蓄タンクＢの右側に付いている８ネジ式キヤップの所の６接続用管より５ホースを使って１０非常用の水備蓄タンクＣの３ネジ式キヤップにある６接続用管に２ネジ式留め具を使って５ホースを接続する。
（ケ）１０非常用の水備蓄タンクＣの右側に付いている８ネジ式キヤップに有る６接続用管より５ホースを使って７水道の蛇口に２ネジ式留め具を使って接続する。
尚４非常用水の備蓄タンクＡ９非常用の水備蓄タンクＢ１０非常用の水備蓄タンクＣは［図１］［図２］の様に３個でもよいし、それより少なくてもよいし数を増やしてもよい。
４非常用水の備蓄タンクＡ９非常用の水備蓄タンクＢ１０非常用の備蓄タンク
３ネジ式キャップ６接続用管８ネジ式キャップ１２ネジ式ジョイント１４接続管の材質は、プラスチックや塩化ビニールや金属や陶器等水道水の水圧に耐える物なら、どの材質でも良い。
１４接続管５ホースの長さは、建物の取り付けの状況に合わせて自由な長さでよい。
【発明の効果】
【０００６】  地震等の為に、非常用の水備蓄タンクに水を保管する際、水道水の使用期限が３日の為、３日おきに重たい非常用備蓄タンクに水を入れ替えなくてはならないが、本発明の様にＩ水道管に４非常用水の備蓄タンクＡと９非常用水の備蓄タンクＢと１０非常用水の備蓄タンクＣを７水道の蛇口に直接接続させる事によって７水道水の蛇口より、常時、水を使用すると自然と４非常用水の備蓄タンクＡ９非常用水の備蓄タンクＢ１０非常用水の備蓄タンクＣの中の水を清潔に保てるので、非常用備蓄タンクの水を入れ替えなくても済む様になる。
図３の様に４、９、１０、非常用水の備蓄タンクＡ，Ｂ，Ｃ，の左側の給水用の３ネジ式キヤップに１５回転翼の軸と１６水循環用の回転翼を設けると、７水道の蛇口を使用すると１６水循環用の回転翼が回転し自動的に水を循環させて４、９、１０、非常用水の備蓄タンクを清潔に保つ事が出来る。
【図面の簡単な説明】
【図Ｉ】  本発明の斜視図
【図２】  本発明の斜視図
【図３】  本発明の透視斜視図
【符号の説明】  Ｉ水道管
２留め具
３ネジ式キヤップ
４非常用の水備蓄タンクＡ
５ホース
６接続用管
７水道の蛇口
９非常用の水備蓄タンクＢ
１０非常用の水備蓄タンクＣ
１１ネジ式管
１２ネジ式ジョイント
１３水道管のネジの溝
１４接続管
１５回転翼の軸
Ｉ６水循環用回転翼
１７留め具締め付け用ネジ
【図Ｉ】
2018020836.tif 000003
【図２】
2018020836.tif 000004
【図３】
2018020836.tif 000005
(57)【要約】【課題】片手でも楽に布体の水切りを行える手段を提供する。【解決手段】有底中空のバケツ本体を設けるとともに、該バケツ本体の上部側面に布体を引き出して絞るための絞り孔を突設したことを特徴とする。【選択図】図２
2018089322.tif 000002
【特許請求の範囲】
【請求項１】
有底中空のバケツ本体を設けるとともに、該バケツ本体の上部側面に布体を引き出して絞るための絞り孔を突設したことを特徴とする布体水切り用バケツ。
【請求項２】
絞り孔を、その先端に向かって次第に小径となる湾曲側面を有するものとした請求項１記載の布体水切り用バケツ。
【請求項３】
絞り孔を、その上部の一部を切除して形成してなる請求項１または２記載の布体水切り用バケツ。
【請求項４】
バケツ本体下面に、バケツより大径のウエイトを設けてなる請求項１〜３のいずれかの項に記載の布体水切り用バケツ。
【発明の詳細な説明】
【技術分野】
【０００１】  この発明は、水に浸した布体の水切りに便利なるバケツに関する。
【背景技術】
【０００２】  従来より、多種多様なバケツが市販され利用されているが、本発明にて示すように布体の水切り機能を有するバケツは見当たらない。
【発明の概要】
【発明が解決しようとする課題】
【０００３】  バケツは水の貯留や運搬などによく使われている。大体は有底中空逆円錐台形状に金属や合成樹脂にて成形加工され、持ち運びのために取っ手が付いている。
水拭きなどをするとき、バケツ内の湯や水に布体を浸して後、その布体の水切りを行う。
この水切りは、布体の一端を片手に持ち、他端を他方の手に持ってねじるようにして行うのが一般的であるが、それなりの握力を必要とするために高齢者や手の不自由な人にとっては難儀な作業である。しかし、布体の水切り具などは見当たらず、この課題を解決するための適当な手段が見当たらないのが現状である。
本発明は以上に鑑み、バケツ上部に水切りのための絞り孔を設けることにて既述の課題を解決し得る新規かつ有用なる手段を提供する事を目的として発明されたものである。
【課題を解決するための手段】
【０００４】  課題を解決する手段として本発明は以下の構成とした。
すなわち、有底中空のバケツ本体を設けるとともに、該バケツ本体の上部側面に布体を引き出して絞るための絞り孔を突設する。本発明は以上の構成よりなる布体水切り用バケツである。
【発明の効果】
【０００５】  本発明は、下記の効果を有する。
１．バケツ本体上部側面に絞り孔を設けたので、水に浸した布体をこの絞り孔を通すこと  にて、布体の水切りを楽に行うことができる。
２．絞り孔を、その先端に向かうにつれて次第に小径となる湾曲側面にて形成したので、  布体引き出し抵抗を少なくすることができる。
３．絞り孔を、その上部適所を切除することにて、さらに引き出し抵抗を小さくすること  ができる。
４．バケツ底部にバケツより大径のウエイトを設けることにて、このウエイトを踏んで布  体の引き出し時のバケツの倒れを防止することができる。
【図面の簡単な説明】
【０００６】
【図１】本発明の絞り孔配置説明図（平面視）
【図２】本発明の正面図（一部略）
【図３】本発明の絞り孔形状説明図
【発明を実施するための最良の形態】
【０００７】  以下、本発明の実施形態について説明する。
図において、１はバケツ本体で、合成樹脂としての有色ポリプロピレンによる中空逆円錐台形状有底の物品である。２はバケツ上部に回動可能に設けられる取っ手、３はバケツ本体下端に固着されるウエイトである。このウエイトは略円板形状でその外径はバケツ下端外径より大であり、材質は金属である。４は大径絞り孔で、バケツ本体上部側面に外方へ向けて突設される。
５は中径絞り孔、６は小径絞り孔で、いずれも大径絞り孔と相似形である。
各絞り孔は、以下の形状である。１０は絞り孔本体で、先端に向かって小径となる湾曲側面１１を有している。１２は切除部で、該絞り孔本体の上部の一部を湾曲的に切除した部分である。１３は湾曲鍔部で、絞り孔本体の最大径部分である。
この絞り孔本体は図３にて示されるように、その一部はバケツ本体に穿設された孔より突出して位置し、湾曲鍔部はバケツ本体内面に固着される。従ってこの絞り孔本体に密着可能形状の孔がバケツ本体に穿設される。本例においては外径の異なる絞り孔がバケツの平面視８等配に図１のごとく配設される。
以上が本発明の一実施形態である。【０００８】  本発明の使用に際しては、まずバケツ内に適量の水や湯を入れる。水面位置は絞り孔より下方である。布体をバケツ内の水等に浸した後、その布体サイズにより絞り孔を選択し、バケツ内面の絞り孔に布体をあてがい、外方へ押し出した後、その先を引き出すことにてこの布体は絞り孔内面に押圧されて布体の水切りができる。この絞り孔は既述のように、その上部の一部が図３のように切除されているので、引き出す布体への抵抗を緩和して楽に引き出すことができる。
つまり、初期は絞り孔の湾曲内面に当接し、この湾曲面に沿って布体は外方へと移動し、やがて切除部に達するとこの切除部端は抵抗となるが、絞り孔本体先端にはまだ達していないので、布体移動に対する抵抗を緩和することができる。
なお、布体引き出し力にてバケツが倒れることを防止するために、ウエイトを設けており、このウエイトを踏んで上記作業を行って布体の水切りを行うことができる。【０００９】  以上、本発明について記したが、本発明は既述の絞り孔に布体を通過させることにて水に浸した布体の水切りを片手で行えるところにその特徴を有するものである。
従来はこのような手段がなく、両手を用いて水切りを行わねばならなかったが、本発明にて楽に水切りを行う手段が得られることとなったのである。また、ウエイトを設けて、このウエイトを踏んで上記作業を行うことにて作業時のバケツの倒れを防止でき、バケツの安定を容易に得ることができる。
既例においては、絞り孔を大中小の３種類としており、布体サイズに合わせた水切りを行うことができる。絞り孔はサイズによりその色合いを違えて設けることができ、サイズ選択を容易とすることができる。なお、ウエイトは既例では金属製としているが、例えば水を封入した容器にて代用してもよい。また、ウエイト下面にゴムを貼着することにて、作業時のバケツの安定を図ることができる。
以上のごとく本発明によって片手でも楽に布体の水切りを行うことのできる有用なる物品を得ることができる。
【符号の説明】
【００１０】  １    バケツ本体
２    取っ手
３    ウエイト
４    大径絞り孔
５    中径絞り孔
６    小径絞り孔
１０  絞り孔本体
１１  湾曲側面
１２  切除部
１３  湾曲鍔部
２０  布体
【図１】
2018089322.tif 000003
【図２】
2018089322.tif 000004
【図３】
2018089322.tif 000005
(57)【要約】【課題】女性の頭部の白髪、薄毛といった悩みに対処するべく商品は他にもあるが、その目的は悩み対処品として周知されている。本発明品はカチューシャもしくはヘアーバンドというオシャレアイテムに装備を加えることで、他人には悩み目的で着用しているとは思われにくい。人に見つかりにくく悩みが解決し、オシャレという相乗効果もある故、楽しい気分で悩みを回避できるアダプター附属品付複合カチューシャもしくはヘアーバンドを提案する。【解決手段】上述課題の目的に有効的なデザイン及び素材を研究し作製する。また、装飾目的のみのアダプター附属品も発展させる事により、悩み目的以外の若い女性や、子供の層にも提供できる。【選択図】図１
2018089324.tif 000002
【特許請求の範囲】
【請求項１】
本体であるカチューシャもしくはヘアーバンドに、アダプターいわゆる接続部品により、覆い附属品を幅の調整目的や、装飾性の追加目的の為に、装着する事を可能としたアダプター附属品付複合カチューシャ。
【請求項２】
本体は、一般的なカチューシャやヘアーバンドでも代用が可能な為、本体との複合品ではなく、附属品のみの単体でも、この発明品とする。
【発明の詳細な説明】
【技術分野】
【０００１】  本発明品は、女性の白髪や薄毛等の頭部の悩みを隠す事ができるアダプター附属品付きカチューシャもしくはヘアーバンドに関する物である。
【背景技術】
【０００２】  一般的にカチューシャやヘアーバンドはオシャレを目的として、上頭部に被せる物であり、白髪部分や薄毛の一部を隠す効果はあるが、全容を隠す事はできない。【０００３】  また、白髪や薄毛等の隠したい部分の位置や面積は人それぞれであり、従来のカチューシャもしくはヘアーバンドでは対処できない。【０００４】  白髪隠しや薄毛隠しを目的とした商品に主に帽子やカツラがある。帽子は室内では脱がなければならないという不便さがあり、カツラは着用の不快感や不自然さがあった。
【発明の概要】
【発明が解決しようとする課題】
【０００５】  従って本発明は、上記の様な問題点を解決し女性の頭部の白髪や薄毛を効率的に目隠し出来る。【０００６】  またカチューシャやヘアーバンドは本来オシャレが目的である為、他人から悩み目的で着用しているとは思われにくい。
【課題を解決するための手段】
【０００７】  基本となる本体のカチューシャもしくはヘアーバンドに、アダプター付覆い附属品を装着し、それを開閉する事により、頭部に覆い被せる面積を自由に広げたり狭くしたりできる様に構成した。
【発明の効果】
【０００８】  本発明によれば、頭部の白髪や薄毛の人それぞれの目隠ししたい部分の位置や面積を本体と開閉するアダプター付附属品で適宜に対処出来る。【０００９】  またその附属品をレースや柄物や加工等の装飾を施した物にする事により、カチューシャもしくはヘアーバンドの元々のオシャレという目的をより高める事ができ、実用性以外にも使用目的が発生する。【００１０】  装飾性を備えた物にする事により、悩みを解決しているというマイナス意識を払拭でき、女性の気持ちを高揚させ、楽しい気分で悩みに対応出来るという効果がある。
【図面の簡単な説明】
【００１１】
【図１】本発明の実施形態のアダプター付複合カチューシャの本体のみの斜視図  （ａ）本体カチューシャを表す図  （ｂ）本体ヘアーバンドを表す図  （ｃ）本体カチューシャにボタン等のアダプターが装着している実施形態の斜視図  （ｄ）本体ヘアーバンドにボタン等のアダプターが装着している実施形態の斜視図
【図２】本発明の覆い附属品の正面図  （ａ）基本的な附属品の正面図  （ｂ）附属品をレースにした場合の正面図  （ｃ）附属品に刺繍などの加工を施した場合の正面図
【図３】本発明の覆い附属品の正面図  （ａ）基本的な附属品の正面図  （ｂ）附属品をレースにした場合の正面図  （ｃ）附属品に刺繍などの加工を施した場合の正面図
【図４】本発明の実施形態における本体と覆い附属品を複合させた図
【図５】本発明の実施形態における頭に装着した斜視図  （ａ）本体とアダプター附属品を展開させ覆う面積を広くした図  （ｂ）本体とアダプター附属品を重ねて覆う面積を狭くした図
【図６】本発明の覆い附属品の正面図  （ａ）リボンにアダプターを取り付けた図  （ｂ）コサージュのような立体な飾りとアダプターを取り付けた図  （ｃ）金属やビーズの様な硬質なものとアダプターを取り付けた図
【発明を実施するための形態】
【００１２】  図１（ａ），（ｂ）は本体の基本形例斜視図であり、（ａ）は芯等により、頭に合わせて適合する一般的にカチューシャと言われる形態である。（ｂ）は輪状の物で、布の伸縮や一部ゴム部を用いる事で頭に沿い適合させる一般的にヘアーバンドと言われる形態である。
【００１３】  図１の（ｃ），（ｄ）は、図（ａ），（ｂ）の基本形本体にアダプターとして３の釦を施した実施形態の斜視図でありアダプターとしては釦以外にも想定される。
【００１４】  図２（ａ），（ｂ），（ｃ）は覆い附属品の一例正面図である。この形態には５の輪状のゴムもしくは紐のアダプターが備えられてあり、本体の端にもしくは３の釦に引っ掛けて装着する。
【００１３】  図３（ａ），（ｂ），（ｃ）は覆い附属品の一例正面図である。図１（ｃ），（ｄ）の様に、３の釦がアダプターとしてついている場合に覆い附属品側にも６の釦ホールを設け、釦に通し接続部とする。
【００１４】  図５（ａ），（ｂ）は頭に着用した実施形態側面図であり、このように１の本体に３の覆い附属品を重ね付け、前後にずらしたり狭めたりする事で、頭部を覆う幅及び面積を調整する。（ａ）は最大限に展開させ目隠ししたい部分を広く覆っている実施形態であり、（ｂ）は重なりを多くし覆う幅を狭くした実施形態である。
【００１５】  図６（ａ），（ｂ），（ｃ）は［００１４］のように展開させて幅を調整する目的ではなく、装飾性のみを加える目的のアダプター附属品の図例である。このように悩み解決の目的ではなく、オシャレ目的のアダプター附属品も発展させる事で、若い女性や子供向けの商品としても有効である。
【００１６】  なお、本発明は、前述実施例に限定される物ではなく、発明の趣旨から逸脱しない範囲で、適宜変更して具体化する事もできる。
【符号の説明】
【００１７】  １    カチューシャ本体
２    ヘアーバンド本体
３    アダプターの釦
４    覆い附属品
５    アダプターである輪状の紐もしくはゴム
６    アダプターである釦ホール
【図１】
2018089324.tif 000003
【図２】
2018089324.tif 000004
【図３】
2018089324.tif 000005
【図４】
2018089324.tif 000006
【図５】
2018089324.tif 000007
【図６】
2018089324.tif 000008
(57)【要約】【課題】    本発明は、足腰の裏側を鍛えるジムバイクに関する技術を提供する。【解決手段】台座前部（１）に、前部パイプフレーム（２）を固定して設ける。また各パイプフレーム（３）およびサドル（４）、ハンドル（５）、およびチェーンホイール（６）、ペダル（７）、チェーン（８）等は、従来の自転車からの転用で構成して設ける。さらに後部パイプフレーム（９）の末端に、チェーン（８）で回転する、負荷ホイール（１０）を設ける。つぎに負荷ホイール（１０）の中心軸にセンサー（１１）を設ける。そしてこれらを台座後部（１２）に設けて電源（１５）と共に装着する。さらにハンドル（５）にトレーニング制御盤（１２）を、センサー（１１）からの制御線で配線して設けて、最後にチェーンホイール（６）の軸を、逆回転（１４）の方向にもできる、ラチェット付回転軸（１３）として設ける。【選択図】図２
2018089325.tif 000002
【特許請求の範囲】
【請求項１】
台座前部（１）に、前部パイプフレーム（２）を固定して設け、各パイプフレーム（３）およびサドル（４）、ハンドル（５）、およびチェーンホイール（６）、ペダル（７）、チェーン（８）等は、従来の自転車からの転用で構成して設ける、さらに後部パイプフレーム（９）の末端に、チェーン（８）で回転する、負荷ホイール（１０）を設け、つぎに負荷ホイール（１０）の中心軸にセンサー（１１）を設け、そしてこれらを台座後部（１２）に設けて電源（１５）と共に装着する、さらにハンドル（５）にトレーニング制御盤（１２）を、センサー（１１）からの制御線で配線して設けて、最後にチェーンホイール（６）の軸を、逆回転（１４）の方向にもっていく、ラチェット付回転軸（１３）として設ける、このような特徴構成よりなる、トレーニングバイク。
【発明の詳細な説明】
【技術分野】
【０００１】  本発明は、積極的に足腰をトレーニングできる技術に関するものである。
【背景技術】
【０００２】  従来は、ペダルを踏み込んで、正回転させて足腰を鍛えるものが普通であった。
【発明が解決しようとする課題】
【０００３】  現状に於いて、スポーツジム等のバイク運動は足腰に、とても良い影響を与えてくれる。しかしながら、この点をもう一歩進めていくと、現在のスポーツバイクは、正回転方向にペダルを漕ぐタイプであり、これだと足のふくらはぎや、足の腿の裏などの、後足筋などを、積極的に鍛える事はなく、そこで足の表側と共に、裏側も鍛える事ができる方法を求めていた。
これらの問題を改善し、今までにない有効な本発明がなされたのである。
【課題を解決するための手段】
【０００４】  本発明はバイクの漕ぎ足を、強制的に逆回転（１４）させる構造で形成されている。以下解決手段を説明する。
まず従来の自転車本体の車輪やブレーキ等を、取り去ったもので形成する。つまり各パイプフレーム（３）およびサドル（４）そしてハンドル（５）、さらには、チェーンホイール（６）、ペダル（７）、チェーン（８）を転用して設ける。
つぎに、台座前部（１）に前部パイプフレーム（２）を、確実に固定して設ける。
さらに後部パイプフレーム（９）の末端に、チェーン（８）で回転する、負荷ホイール（１０）を設ける。この負荷ホイール（１０）は、磁力負荷ブレーキが設けられている。またさらに、負荷ホイール（１０）の中心軸にセンサー（１１）を設ける。このセンサーは回転数、負荷磁力等を、拾い上げる事が出来る。
さらにこれら負荷ホイール（１０）等の主軸を、ベアリングを介設して電源（１５）と共に台座後部（１２）に、確実に固定する。さらにハンドル（５）に、トレーニング制御盤（１２）を、センサー（１１）から制御線で配線して設ける。最後に、チェーンホイール（６）の軸を逆回転（１４）の方向のみ作動する、ラチェット付回転軸（１３）にして設ける。なお正逆切換式の、ラチェット付回転軸（１３）を装着すれば、正回転も出来るので、利用用途は広がる。
本発明は以上のような特徴よりなる、トレーニングバイクである。
【発明の効果】
【０００５】１．本発明は、ペダル（７）を逆回転（１４）で踏み込んで行くと、逆回転（８）に回す事により、足や腰には後足筋（１０）に負荷がかかり、足腰の後ろ側が、集中的にトレーニングができる。つまり足腰の踏ん張る力が増して、転倒しない体力が作れる。また本発明は、従来式の正回転仕様にも出来るので、トレーニングパターンは広がる。
２．本発明は、従来の自転車の構造から転用して、利用できる部分が多いので低価格で生産できる利点がある。
【発明を実施するための最良の形態】
【０００６】  本発明はバイクの漕ぎ足を、基本的に逆回転（１４）させる構造で形成する。
まず従来の自転車本体の車輪やブレーキ等を、取り去ったものを利用して形成する。つまり各パイプフレーム（３）およびサドル（４）そしてハンドル（５）、さらには、チェーンホイール（６）、ペダル（７）、チェーン（８）を転用して設ける。
つぎに、台座前部（１）に前部パイプフレーム（２）を、確実に固定して設ける。
さらに後部パイプフレーム（９）の末端に、チェーン（８）で回転する、負荷ホイール（１０）を設ける。この負荷ホイール（１０）は、磁力負荷ブレーキが設けられている。またさらに、負荷ホイール（１０）の中心軸にセンサー（１１）を設ける。このセンサーは回転数、負荷磁力等を、拾い上げる事が出来る。
さらにこれら負荷ホイール（１０）等の主軸を、ベアリングを介設して電源（１５）と共に台座後部（１２）に、確実に固定する。さらにハンドル（５）に、トレーニング制御盤（１２）を、センサー（１１）から制御線で配線して設ける。最後に、チェーンホイール（６）の軸を逆回転（１４）の方向にも作動する、ラチェット付回転軸（１３）にして設ける。なお正逆切換式の、ラチェット付回転軸（１３）を装着すれば、正回転も出来るので、利用用途は広がる。
本発明は、以上のような構成であり、これを使用実施するときには、【０００７】  まずサドル（４）に跨り、トレーニング制御盤（１２）にて、足に懸かる負荷量を調整して、ペダル（７）を逆回転（１４）させて踏んでいく、予め決めた負荷量はセンサー（１１）が、回転数と共にチェックし、該制御盤にデーターが送られトレーニング制御盤（１２）に、いろいろ表示される。回転負荷は負荷ホイール（１０）に設けてある、強力な電磁石のホイール接触度により、変化させている。
トレーニングが終了したら、該制御盤の電源スイッチを切れば良い。
【図面の簡単な説明】
【０００８】
【図１】  本発明の実施説明図である。
【図２】  本発明の組立完成図である。
【符号の説明】
【０００９】    １  台座前部
２  前部パイプフレーム
３  台座
４  サドル
５  ハンドル
６  チェーンホイール
７  ペダル
８  チェーン
９  後部パイプフレーム
１０  負荷ホイール
１１  センサー
１２  台座後部
１３  ラチェット付回転軸
１４  逆回転
１５  電源
【図１】
2018089325.tif 000003
【図２】
2018089325.tif 000004
(57)【要約】      （修正有）【課題】団体競技の競技者の組合せが、コマを回すだけで簡単にでき、途中参加者や途中退場者がいた場合でも、コマの出し入れだけで即対応できてしまう競技者組合せ器を提供する。【解決手段】円形状を有する円形台座１の外周と内周に枠２を施し、外周と内周に施された枠２の間に、円柱状のコマ３を有することを特徴とする競技者組合せ器。【選択図】図１
2018089319.tif 000002
【特許請求の範囲】
【請求項１】
円形状を有する円形台座（１）の外周と内周に枠（２）を施し、外周と内周に施された枠（２）の間に、円柱状のコマ（３）を有することを特徴とする競技者組合せ器。
【発明の詳細な説明】
【技術分野】
【０００１】本発明は団体競技の競技者の組合せが、コマを回すだけで簡単にできてしまい、途中参加者や途中退場者がいた場合でも、コマの出し入れだけで即対応できる競技者組合せ器に関するものである。
【背景技術】
【０００２】従来、複数で試合や練習のためにコートに入る場合は、同じメンバーになり難いようにその都度クジを引いたり、ジャンケンなどを行なってコートに入るメンバーを決めていた。
また、特にルールは決めずに何となく流れやその場の雰囲気によってグループを組んで試合や練習を行なっていた。
一方、またパソコン等の電子機器を使用しその電子機器のソフトを使用して組合せをする場合も考えられる。
【先行技術文献】
【０００３】
【発明の概要】
【発明が解決しようとする課題】
【０００４】従来複数の競技者が同じメンバーになり難いように試合や練習を行なう場合、次のような欠点があった。
（イ）、その都度クジを引いたり、ジャンケンなどを行なってコートに入るメンバーを決めていたが、時間が掛かることとその都度各自が自分の番号などを記憶しておかなければならず面倒であった。
（ロ）、また、その場の雰囲気によってグループを組んで試合や練習を行なっている場合もあり、そのグループから外れた人はコートに入って競技する回数が減り不公平感があった。
（ハ）、一方、パソコン等の電子機器を使用しその電子機器のソフトを使用して組合せをする場合も考えられるが、電源が必要であったり取り扱い方法や責任上、所有者や担当者のみしか扱いが出来ない場合もあり、場所や使用者に制約が発生する場合があった。
本発明は、以上の問題点を解決するために発明されたものである。
【発明が解決するための手段】
【０００５】  円形状を有する円形台座（１）の外周と内周に枠（２）を施し、外周と内周に施された枠（２）の間に、円柱状のコマ（３）を有する。
以上を特徴とする競技者組合せ器。
【発明の効果】
【０００６】（イ）、競技者が短時間で次に入るコートが分かり、その都度自分の番号を記憶することも不要となる。
（ロ）、人の好き嫌いによる競技数の不公平感を解消できる。
（ハ）、電源が不要であり故障も発生することがなく誰でも安心して使用できる。
【図面の簡単な説明】
【０００７】
【図１】本発明の斜視図
【図２】本発明の使用状態を示す上面図
【図３】本発明の使用状態を示す上面図
【図４】本発明の使用状態を示す上面図
【図５】本発明の使用状態を示す上面図
【図６】本発明の使用状態を示す上面図
【０００８】  以下、本発明の実施の形態を説明する。
（イ）、円形状を有する円形台座（１）の外周と内周に枠（２）を施す。
（ロ）、外周と内周に施された枠（２）の間に、円柱状のコマ（３）を有する。
本発明は以上の構成よりなる。
本発明は以上の構成からなるので本発明を使用する場合は次のように行なう。
本発明の上面より１２時から９時の部分を第１コート、９時から６時の部分を第２コート、６時から３時の部分を第３コート、３時から１２時の部分を待ちとし、各競技者に割り振られた番号を外周と内周に施された枠（２）の間に配置する。
また、内周に施された枠（２）の中に配置するコマ（３）は、競技に参加していない競技者あるいは途中退場した競技者のコマ（３）を配置する。
まず、最初に配置されたコマ（３）を使用して競技を実施し、競技が終了した時点で反時計回りに所定のコマ数だけ移動させた状態にしておきます。これにより競技を終了した時点で次の競技の組合せが出来てるようにします。
一方、途中で参加者が増えた場合は新たな参加者に番号を与え、待ちのスペースの先頭に配置し次の競技に参加できるようにします。
さらに、途中で退場する競技者が出た場合はその競技者の番号のコマを抜き、内周の枠（２）の内側に戻し組合せ操作を繰り返します。
【符号の説明】
【０００９】    １  円形台座
２  枠
３  コマ
【図１】
2018089319.tif 000003
【図２】
2018089319.tif 000004
【図３】
2018089319.tif 000005
【図４】
2018089319.tif 000006
【図５】
2018089319.tif 000007
【図６】
2018089319.tif 000008
(57)【要約】【課題】本発明は、座った時に猫背にならないよう骨盤を前から支える布カバーに入ったゴムボール製のクッションに関するものである。【解決手段】骨盤の前側をゴムボールで支えることにより、体重が前面にくるようにする。【選択図】図３
2018089320.tif 000002
【特許請求の範囲】
【請求項１】
椅子に座った時に骨盤を前側で支える布カバー（２）に入ったゴムボール（１）のクッション。
【発明の詳細な説明】
【技術分野】
【０００１】  本発明は、座った時に猫背にならないよう骨盤を前から支える布カバーに入ったゴムボールのクッションに関するものである。
【背景技術】
【０００２】  従来、骨盤を支えるクッションは骨盤を臀部から支える形になっている。
【先行技術文献】
【特許文献】
【０００３】
【特許文献１】特開２０１３−０３９３４５号公報
【特許文献２】特開２０１１−２５４８７８号公報
【発明の概要】
【発明が解決しようとする課題】
【０００４】  これは次のような欠点があった。
（イ）臀部で体重を支える構造なので、体重が背面にかかってしまう。
（ロ）長時間座ると臀部が痛くなってくる。
（ハ）骨盤を前から支える下腹の筋肉に意識がいかないので、効果が一時的である。
（二）椅子に背もたれがあると、後ろにもたれたくなってしまう。
本発明は、以上のような欠点をなくすためになされたものである。
【課題を解決するための手段】
【０００５】  骨盤の前側をゴムボール（１）で支えることにより、体重が前面にくるようにする。
【発明の効果】
【０００６】（イ）骨盤の前にクッションを置くことで、体重を体の前面で支えられる。
（ロ）弾力のあるゴム製なので長時間使用しても痛くならない。
（ハ）骨盤の前に意識がいくことで、下腹の筋肉を使う習慣ができる。
（二）クッションが前側で骨盤を支えるので、背もたれにもたれなくても姿勢を保つことができる。
【図面の簡単な説明】
【０００７】
【図１】本発明の部品
【図２】本発明の使用時の形態
【図３】本発明の使用方法
【発明を実施するための形態】
【０００８】    以下、本発明の実施の形態について説明する。
弾力のあるゴムボール（１）を布カバー（２）の中に入れたクッション。
本発明は、以上のような構造である。
本発明を使用するときは、椅子の座面に置いて使用する。ゴムボール（１）が骨盤の前を支えるように、太ももの間にゴムボール（１）を置く。
布カバー（２）に入っていることにより、ゴムボールが転がることを防いでいる。
【符号の説明】
【０００９】    １  ゴムボール
２  布カバー
【図１】
2018089320.tif 000003
【図２】
2018089320.tif 000004
【図３】
2018089320.tif 000005
(57)【要約】      （修正有）【課題】刻印の視認性に優れた万年筆のペン先を提供する。【解決手段】ステンレスで成形したペン先１であって、ステンレスで成形したペン先本体２の表面２ａに、酸化皮膜層３ａと、該酸化皮膜層３ａと当該酸化皮膜層３ａに隣接した前記ペン先本体の表面に設けたレーザー彫刻による刻印部４と、を有した万年筆用ペン先。【選択図】図２
2018089810.tif 000002
【特許請求の範囲】
【請求項１】
ステンレスで成形したペン先本体の表面に、酸化皮膜層と、該酸化皮膜層と当該酸化皮膜層に隣接した前記ペン先本体の表面に設けたレーザー彫刻による刻印部と、を有した万年筆用ペン先。
【請求項２】
前記酸化皮膜層の膜厚が０．１μｍ以上であり、前記刻印部の深さが５μｍ〜１０μｍである請求項１記載の万年筆用ペン先。
【発明の詳細な説明】
【技術分野】
【０００１】
本発明は、万年筆用ペン先に関するものである。さらに詳しくは、ペン先表面に設けた刻印の視認性に優れた万年筆用のペン先に関するものである。
【背景技術】
【０００２】
従来から、万年筆のペン先に、ブランド名やペン先の大きさあるいは模様などの表示を設ける手段として、刻印を施す手法が知られている。金属に刻印する際には、ポンチによる打刻がよく用いられるが、ポンチによる打刻は、細い打刻幅を形成することが難しく、細い打刻幅では刻印が不鮮明になってしまうという問題があった。また、ポンチによる刻印は、ペン先を曲面形状にプレス成形する前の材料が平らな状態で刻印を設ける必要があることから、刻印を行った後のプレス成形時に、刻印の形状がいびつになってしまうという問題が存在している。この問題への対応として、特許文献１には、レーザー彫刻で刻印を設ける構造の万年筆のペン先が記載されている。このペン先は、レーザー彫刻によって底面が梨地状となる刻印が施されており、ポンチによる刻印と比較して、刻印とその周辺との表面の差（梨地の有無）によって、当該刻印を見やすくすることが可能となった。尚、前記レーザー彫刻は、高密度のレーザーによって、照射部分を瞬間的に融解、蒸発させて刻印を形成することから、変形しやすいものや形状が複雑なものであっても刻印することが可能であり、ペン先のように肉厚が薄く曲面を有したものへの刻印にも適しているが、レーザー彫刻は、その刻印の深さが浅いことから、やはり細い線の刻印では視認性が悪くなることがあった。
【先行技術文献】
【特許文献】
【０００３】
【特許文献１】特開２０１１−２４０５１８号公報
【発明の概要】
【発明が解決しようとする課題】
【０００４】
本発明では、刻印の視認性に優れた万年筆のペン先を提供することを目的とした。
【課題を解決するための手段】
【０００５】
本発明は、
「１．ステンレスで成形したペン先本体の表面に、酸化皮膜層と、該酸化皮膜層と当該酸化皮膜層に隣接した前記ペン先本体の表面に設けたレーザー彫刻による刻印部と、を有した万年筆用ペン先。
２．前記酸化皮膜層の膜厚が０．１μｍ以上であり、前記刻印部の深さが５μｍ〜１０μｍである前記１項記載の万年筆用ペン先。」である。
【０００６】
本発明によれば、刻印部とその周辺の酸化皮膜層との色差が明瞭になり、さらに、レーザー彫刻により形成された刻印部は梨地状の底面を有することから、深さが浅い刻印であっても、視認性が良好な万年筆のペン先を得ることが可能になる。
【０００７】
本発明におけるペン先本体は、ステンレス板材をプレスによりペン先外形形状に打抜き加工した後に曲げ成形したもの、あるいは薄肉円筒形状のステンレスパイプを斜めに切断して軸筒と一体に成形したものである。
【０００８】
本発明のペン先本体の表面には、酸化皮膜層を有する。該酸化皮膜層は、ペン先本体を陽極酸化処理することによって形成される透明な皮膜であり、０．１μｍ以上の膜厚を有する。該酸化皮膜層を表面に有したペン先は、光の干渉現象によって青みがかった黒色を呈し、膜厚を厚くすることによって、黒色の色合いを強くすることができる。
【０００９】
本発明における刻印部は、レーザー彫刻することによって、前記酸化皮膜層を設けたペン先本体の表面側に形成する。刻印部は、５μｍ〜１０μｍの深さを有し、梨地状の底面を有する。刻印部は、レーザーによって焼けが生じ、薄褐色となる。したがって、酸化皮膜層の一部が剥がれてステンレス地金が見えてしまった場合でも、刻印部との色とは異なることから、刻印の認識が可能となる。
【発明の効果】
【００１０】
ステンレスで成形したペン先本体の表面に、酸化皮膜層と、該酸化皮膜層と当該酸化皮膜層に隣接した前記ペン先本体の表面に設けたレーザー彫刻による刻印部との色差が明瞭になり、また、刻印部が梨地状の底面を有することによって、深さが浅い刻印であっても、視認性が良好な万年筆のペン先を得ることが可能になる。
【図面の簡単な説明】
【００１１】
【図１】本実施例の万年筆用ペン先である。
【図２】図１のＡ−Ａ線端面概念図である。
【発明を実施するための形態】
【００１２】
以下、図面を参照して本実施例の万年筆用ペン先について説明をする。説明を分かりやすくするために、図中の同じ部材、同じ部品については同じ符号を付してある。
本発明は以下の実施例に限定されるものではない。
【００１３】
図１、図２に示すように、ペン先１は、ステンレス（ＳＵＳ３０４）で成形したペン先本体２の表面２ａ及び裏面２ｂに、陽極酸化処理による酸化皮膜層３ａ及び３ｂを設けてあり、該酸化皮膜層３ａと当該酸化皮膜層３ａに隣接したペン先本体２の表面２ａにレーザー彫刻による刻印部４を設けてある。ペン先２の先端には、筆記用のペンポイント５を溶着しており、ペンポイント５には、ペン先２の後方へ向かって延びる切り割６を設けてある。図２は、図１のＡ−Ａ線端面概念図である。本実施例のペン先１は、ペン先本体２の表面に、酸化皮膜層３ａ及び３ｂを０．１μｍの膜厚で形成してあり、刻印部４を、ペン先本体２の表面２ａから５μｍの深さで形成してあり、刻印底部４０は前記レーザー彫刻により形成された梨地状としてある。
【００１４】
前記ペン先１は、酸化皮膜層３ａが膜厚０．１μｍ以上としてあることから青みがかった黒色となり、また刻印部４はレーザー彫刻による薄褐色となることから、色差が明瞭となり、さらに刻印底部４０の梨地状の凹凸により、刻印の視認性が良好なものとなった。
【符号の説明】
【００１５】
１…ペン先、
２…ペン先本体、２ａ…表面、２ｂ…裏面、
３ａ，３ｂ…酸化被膜層、
４…刻印部、４０…刻印底部、
５…ペンポイント、
６…切り割。
【図１】
2018089810.tif 000003
【図２】
2018089810.tif 000004
(57)【要約】【課題】特殊鋼材の線材（Steel Wire Rods)は、従来、鋼材専用船にて運送されていたが、海上コンテナーでの輸送を可能にする専用架台を考案した。重量物（２トン）を運ぶため、架台は、堅牢なつくりで、均一な仕上がりの架台でなければならない。【解決手段】構造体として、線材の重量物に耐えるものであることは実証済み。組み立て機を考案したことにより、均一で大量に同じものを誰でも組み立てできるようになった。【選択図】図４
2018089756.tif 000002
【特許請求の範囲】
【請求項１】
特殊鋼材である線材（Steel Wire Rods)を安全でかつ簡便に固縛できる架台を、熟練度なしに誰でも均一・簡便に組み立てられるように工夫したもの
【発明の詳細な説明】
【技術分野】
【０００１】
この発明は、線材（Ｓｔｅｅｌ  Ｗｉｒｅ  Ｒｏｄｓ）を海上コンテナーに積載するための架台の作成おいて、誰でも均一な架台を作成するためのものである。
なお、出願番号：特許申請：2016-39395の「海上コンテナーへの積載用架台」と対をなすものである。
【背景技術】
【０００２】
この架台作成の要は、架台の構造体となる足場管をいかに水平に保ち、厚生部材を直角に交差させ止めるかにあり、且つ同じものを大量に作成されなければならない。
【発明の概要】
【発明が解決しようとする課題】
【０００３】
この架台を組み立てるとき、次のような欠点があった。
１．足場管を水平にかつ直角に交差するように止められず、ひねりが生じていた。  均一なものができない。
２．組み立ては、一人が部材を抑え、一人が金具を取り付け締め付けるという具合に、一人作業ができなかった。
このため、作成に最低二人が必要で、かつ組み立てに時間がかかっていた。
３．組み立て作業に、座ったり立ったりと無駄な動作があり、作業者に腰痛など引き起こすなど、長時間の作業を困難とさせていた。
【課題を解決するための手段】
【０００４】
１．専用の組み立て機を考案。この組み立て機の所定の場所に部材をはめ込むことで、架台の要である水平度且つ直角度を両立させる。作業者は、部材をはめ込むことで、誰でも均一の架台を組み立てができることになる。
２．作業は、１．部材を所定の位置にはめ込む  ２．金具を取り付ける  ３．金具を締めつける
いう3つの操作に集約・簡略化し、一人作業が可能となった。  また、単純な作業により、大幅な作成時間の短縮することができた。
３．組み立て機は、図示のように、立居のまま作業ができるように、作業の位置を腰高以上にしたため、無駄な動作がなく、作業効率も改善。  大量の架台の組み立てができるようになった。
【発明の効果】
【０００５】
１．この組み立て機により、作業の熟練度を問わず、均一な架台が作成できることとなった。
２．この組み立て機により、作業の簡素化と作業環境の改善が図られ、作業負荷の軽減と同時に短時間で大量の架台を作成することが可能となった。
３．特殊鋼材貨物である線材（Steel Wire Rods)を、大量に海上コンテナーにて輸送することを目的とするものであるため、  この専用の架台を簡便に、且つ迅速に大量に必要とされるものであった。
この組み立て機の考案により、要求事項を満足するもので、特許申請：2016-39395の「海上コンテナーへの積載用架台」と合わせ追加申請するものである。
【図面の簡単な説明】
【０００６】
【図１】斜視図
【図２】正面図
【図３】平面図
【図４】右側面図
【図５】積載用架台と架台作成機の関係
【図６】ROD架台組み立て機による応用事例
【発明を実施するための形態】
【０００７】
実際の海上コンテナー輸送にこの考案架台を投入するため、組み立て機にによって、２０００台の架台を組み立てた。
対象積載架台：２０００台を作成
架台自身の耐久性のテスト、ハンドリングの簡便性、組み立てから積込、現地での荷卸し、解体まで一連した作業の中で不都合が生じないか検証することにした。
【実施例】
【０００８】
日米間の実際の航海に使用する
対象期間：２０１３年１０月〜２０１５年１２月
実施方法：日本から米国へ  本架台に線材（Steel Wire  Rods)を載せる
米国から日本へ    架台を返却させ、繰り返し利用する（耐久性の検証）
対象線材（Steel Wire Rods)数量：１４，０４９.７トン
対象海上コンテナー（40FT)積載本数：７８０本
40FTコンテナーあたり、積載架台使用：９台使用
日米間を３．５往復させ、延べ７０２０台の積載架台を動かしたことになる。
日米両方にて、架台の損傷、耐久性、荷卸しの簡便性を検証した結果、
１．組み立て機による制作により、均一した品質の架台を大量に生産できることが実証された。
２．架台の損傷率も1.5％以下であり、架台の性能・構造上、特殊線材の輸送に適していることを示した。
３．荷卸しの簡便性：従来の作業時間が約1/3（５０分が１５分に）になるなど大幅な改善が見られた。
また、簡単に解体することにより、体積は1/10となり、返却し、リサイクルするうえで、海上運賃等のCost削減となった。
【産業上の利用可能性】
【０００９】
本考案の架台は、特殊鋼材貨物である線材（Steel Wire Rods)の積載用架台として、海上コンテナーへの積載の門戸を開いたことに大きな貢献がある。  従来、鋼材貨物は、バルク船と呼ばれる鋼材専用船などで輸送されていた。錆や取り扱い疵を問題にする鋼材でもなかった。
しかしながら、海外現地生産が進む自動車産業や精密機器の部品材料となる特殊鋼材の線材（Steel Wire Rods)は、素材・材料のレベルから品質要求の高いものであるため、従来の鋼材船では対応できないものとなっている。  一方でコンテナー船の活用が検討されたが、大量の輸送には、Costがかかり、且つ錆・取扱い疵をも解消できない状態であった。
本考案は、線材という特殊形状（丸い円筒上）を架台に乗せることで、簡便迅速に取り扱い、且つ重量物専用の20FTコンテナーではなく、40FTコンテナーを使用することで、錆問題、Cost問題を解決しようとするものである。
架台の組み立て機は、迅速に均一な架台を、熟練度なしにだれでも組み立てることができるものであり、リサイクル可能な部材構成により、海上コンテナーへの積み込みから荷卸しまで、迅速にできることにより、Costの低減を図り、業界標準仕様架台として広く普及できるものと考える。
【符号の説明】
【００１０】
構成部材を木製にて作った組み立て機にはめ込むことで、組み立てていきますので、特に符号はありません。
【図１】
2018089756.tif 000003
【図２】
2018089756.tif 000004
【図３】
2018089756.tif 000005
【図４】
2018089756.tif 000006
【図５】
2018089756.tif 000007
【図６】
2018089756.tif 000008